【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
移動通信システムにおける基地局がランダムアクセス（ＲＡ）プロシージャを遂行する方法であって、
端末からランダムアクセスプリアンブルを含むメッセージを受信するステップと、
前記受信されたメッセージに応答してランダムアクセス応答メッセージを前記端末に送信するステップと、
前記ランダムアクセス応答メッセージを介して前記端末に割り当てられたアップリンクリソースを用いてＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を含むメッセージが前記端末から受信されるか否かを判断するステップと、
前記端末からＣ−ＲＮＴＩを含むメッセージを受信する場合、端末特定制御情報を送信するステップと、を含み、
前記端末特定制御情報は、前記Ｃ−ＲＮＴＩにより特定されるサイクリックリダンダンシーチェックコード（ＣＲＣ）を含む
ことを特徴とするランダムアクセスプロシージャを遂行する方法。
【請求項２】
前記端末から前記ランダムアクセス応答メッセージを介して前記端末に割り当てられた前記アップリンクリソースを用いて前記Ｃ−ＲＮＴＩを含まないメッセージを受信する場合、前記ランダムアクセスプロシージャに対するＣＲ（Ｃｏｎｔｅｎｔｉｏｎ  Ｒｅｓｏｌｕｔｉｎ）メッセージを前記端末に送信するステップを含む
ことを特徴とする請求項１に記載のランダムアクセスプロシージャを遂行する方法。
【請求項３】
前記端末特定制御情報を送信するステップは、前記ランダムアクセスプロシージャで前記端末でコンテンション検出のために駆動されるタイマーが終了される前に前記端末特定制御情報を送信するステップを含む
ことを特徴とする請求項１又は２に記載のランダムアクセスプロシージャを遂行する方法。
【請求項４】
前記端末特定制御情報は、前記Ｃ−ＲＮＴＩにより識別される
ことを特徴とする請求項１乃至３のいずれか一項に記載のランダムアクセスプロシージャを遂行する方法。
【請求項５】
前記端末特定制御情報を送信するステップは、ダウンリンク制御チャネルを介して前記端末特定制御情報を送信するステップを含む
ことを特徴とする請求項１乃至４のいずれか一項に記載のランダムアクセスプロシージャを遂行する方法。
【請求項６】
移動通信システムにおけるランダムアクセス（ＲＡ）プロシージャを遂行する基地局装置であって、
少なくとも一つの端末にメッセージを送信し、前記少なくとも一つの端末からメッセージを受信する送受信部と、
ランダムアクセスプリアンブルを含むメッセージを受信し、前記受信されたメッセージに応答してランダムアクセス応答メッセージを送信するように前記送受信部を制御し、前記ランダムアクセス応答メッセージを介して前記端末に割り当てられたアップリンクリソースを用いてＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を含むメッセージが前記端末から受信されるか否かを判断して、前記端末からＣ−ＲＮＴＩを含むメッセージを受信する場合、前記端末に端末特定制御情報を送信するように前記送受信部を制御する制御部と、を含み、
前記端末特定制御情報は、前記Ｃ−ＲＮＴＩにより特定されるサイクリックリダンダンシーチェックコード（ＣＲＣ）を含む
ことを特徴とする基地局装置。  
【請求項７】
前記制御部は、前記端末から前記ランダムアクセス応答メッセージを介して前記端末に割り当てられた前記アップリンクリソースを用いて前記Ｃ−ＲＮＴＩを含まないメッセージを受信する場合、前記ランダムアクセスプロシージャに対するＣＲ（Ｃｏｎｔｅｎｔｉｏｎ  Ｒｅｓｏｌｕｔｉｎ）メッセージを前記端末に送信するようにさらに構成される
ことを特徴とする請求項６に記載の基地局装置。
【請求項８】
前記制御部は、前記ランダムアクセスプロシージャで前記端末でコンテンション検出のために駆動されるタイマーが終了される前に前記端末特定制御情報送信されるように制御する
ことを特徴とする請求項６又は７に記載の基地局装置。
【請求項９】
前記端末特定制御情報は、前記Ｃ−ＲＮＴＩにより識別される
ことを特徴とする請求項６乃至８のいずれか一項に記載の基地局装置。
【請求項１０】
前記制御部は、ダウンリンク制御チャネルを介して前記端末特定制御情報が送信されるように制御する
ことを特徴とする請求項６乃至９のいずれか一項に記載の基地局装置。
【請求項１１】
移動通信システムにおける端末がランダムアクセス（ＲＡ）プロシージャを遂行する方法であって、
基地局からランダムアクセス応答メッセージを受信するステップと、
Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）が存在すると、前記ランダムアクセス応答メッセージを介して割り当てられたアップリンクリソースを用いて前記基地局に前記Ｃ−ＲＮＴＩを含むメッセージを送信するステップと、
前記Ｃ−ＲＮＴＩを含むメッセージを送信した時点に前記ランダムアクセスプロシージャでコンテンション検出のためのタイマーを駆動するステップと、
前記タイマーが満了される前に前記Ｃ−ＲＮＴＩにより識別できる端末特定制御情報を前記基地局から受信する場合、前記ランダムアクセスプロシージャに関連したコンテンションが解消されたことに判断するステップと、を含み、
ここで、前記端末特定制御情報は、前記Ｃ−ＲＮＴＩにより特定されるサイクリックリダンダンシーチェックコード（ＣＲＣ）を含む
ことを特徴とする方法。
【請求項１２】
前記Ｃ−ＲＮＴＩが存在しないと、前記ランダムアクセス応答メッセージを介して割り当てられた前記アップリンクリソースを用いて前記基地局に前記Ｃ−ＲＮＴＩを含まないメッセージを送信するステップと、
前記ランダムアクセスプロシージャに対するＣＲ(Contention  Resolution)メッセージが前記基地局から受信される場合、前記ランダムアクセスプロシージャに対するコンテンションが解消されたことに判断するステップと、を含む
ことを特徴とする請求項１１に記載のランダムアクセスプロシージャを遂行する方法。
【請求項１３】
前記タイマーが満了される前に前記基地局から前記端末特定制御情報を受信する場合、前記タイマーを中止させ、前記ランダムアクセスプロシージャに対するコンテンション解消が成功したことに判断するステップをさらに含む
ことを特徴とする請求項１１又は１２に記載のランダムアクセスプロシージャを遂行する方法。
【請求項１４】
前記タイマーが満了されるまで前記基地局から前記端末特定制御情報が受信されない場合、前記ランダムアクセスプロシージャに対するコンテンション解消が失敗したことに判断するステップを含むことを特徴とする請求項１１又は１２に記載のランダムアクセスプロシージャを遂行する方法。
【請求項１５】
前記ランダムアクセスプロシージャに対するコンテンション解消が失敗したことに判断する場合
前記ランダムアクセスプロシージャを再開するステップに含む
ことを特徴とする請求項１１乃至１４のいずれか一項に記載のランダムアクセスプロシージャを遂行する方法。
【請求項１６】
前記端末特定制御情報は、
ダウンリンク制御チャンネルを介して受信されるランダムアクセスプロシージャを遂行する
ことを特徴とする請求項１１乃至１５のいずれか一項に記載の方法。
【請求項１７】
基地局にメッセージを送信し、前記基地局からのメッセージを受信する送受信部と、
前記基地局からランダムアクセス応答メッセージを受信し、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）が存在すると、前記基地局に前記ランダムアクセス応答メッセージを介して割り当てられたアップリンクリソースを用いて前記Ｃ−ＲＮＴＩを含むメッセージを送信するように前記送受信部を制御し、前記Ｃ−ＲＮＴＩを含むメッセージを送信した時点に前記ランダムアクセスプロシージャでコンテンション検出のためのタイマーを駆動するように制御し、前記他タイマーが満了される前に前記Ｃ−ＲＮＴＩにより識別できる端末特定制御情報を前記基地局から受信する場合、前記ランダムアクセスプロシージャに関連したコンテンションが解消されたことに判断する制御部と、
を含み、
ここで、前記端末特定制御情報は、前記Ｃ−ＲＮＴＩにより特定されるサイクリックリダンダンシーチェックコード（ＣＲＣ）を含む
ことを特徴とする端末装置。
【請求項１８】
前記制御部は、前記Ｃ−ＲＮＴＩが存在しないと、前記基地局に前記ランダムアクセス応答メッセージを介して割り当てられた前記アップリンクリソースを用いて前記Ｃ−ＲＮＴＩを含まないメッセージを送信するように前記送受信部を制御し、前記基地局から前記ランダムアクセスプロシージャに対するＣＲ(Contention  Resolution)メッセージを受信する場合、前記ランダムアクセスプロシージャに対するコンテンションが解消されたことに判断する
ことを特徴とする請求項１７に記載の端末装置。
【請求項１９】
前記制御部は、前記タイマーが満了される前に前記基地局から前記端末特定制御情報が受信された場合、前記タイマーを中止させ、前記ランダムアクセスプロシージャに対するコンテンション解消が成功したことに判断するようにさらに制御する
ことを特徴とする請求項１７又は１８に記載の端末装置。
【請求項２０】
前記制御部は、前記タイマーが満了されるまで前記基地局から前記端末特定制御情報が受信されない場合、前記ランダムアクセスプロシージャに対するコンテンション解消が失敗したことに判断することを特徴とする請求項１７又は１８に記載の端末装置。
【請求項２１】
前記ランダムアクセスプロシージャに対するコンテンション解消が失敗したことに判断する場合、前記ランダムアクセスプロシージャを再開するように制御する
ことを特徴とする請求項１７乃至２０のいずれか一項に記載の端末装置。
【請求項２２】
前記端末特定制御情報は、
ダウンリンク制御チャンネルを介して受信される
ことを特徴とする請求項１７乃至２１のいずれか一項に記載の端末装置。